(57)【要約】【課題】ユーザの手間をかけずに用紙情報を簡便に取得する。【解決手段】用紙搬送路に搬送される用紙を読み取るスキャナや測色計などの反射型センサと、用紙搬送路を挟んで各々の反射型センサに対向配置される、濃度が変更可能な背景板と、を有する読取部を用いて、用紙搬送路を通過する用紙の非画像部（画像が形成されない下地部）を、異なる濃度（例えば、白と黒）の背景板を背景にして読み取り、読み取り結果に基づいて用紙の坪量を算出する。好ましくは、用紙の坪量の算出を、印刷画質を調整する画質補正時や、用紙の表裏間の印刷位置ずれを補正する表裏調整時などに実施する。【選択図】図３
2019054408.tif 000002
【特許請求の範囲】
【請求項１】
用紙上に画像を形成する画像形成部と、
前記画像形成部により画像形成される用紙が搬送される用紙搬送路と、
前記用紙搬送路に搬送される前記用紙を読み取る反射型センサと、
前記用紙搬送路を挟んで前記反射型センサに対向して配置される、濃度が変更可能な背景板と、
制御部と、を備え、
前記制御部は、前記背景板の濃度が異なる状態で前記反射型センサに用紙を読み取らせ、前記反射型センサの読み取り結果に基づいて前記用紙の坪量を算出する、
ことを特徴とする画像形成装置。
【請求項２】
前記背景板は、背景色を切り替え可能に構成され、
前記反射型センサは、前記背景板を異なる背景色にして読み取りを行うモードで動作可能であり、
前記制御部は、前記反射型センサを前記モードで動作させて、前記用紙の坪量を算出する、
ことを特徴とする請求項１に記載の画像形成装置。
【請求項３】
前記用紙が収容される給紙トレイと、
前記給紙トレイの開閉を検知するトレイ開閉検知部と、を備え、
前記制御部は、前記トレイ開閉検知部によって前記給紙トレイの開閉が検知された場合に、前記用紙の坪量を算出する、
ことを特徴とする請求項１又は２に記載の画像形成装置。
【請求項４】
前記制御部は、前記トレイ開閉検知部によって開閉が検知された前記給紙トレイに収容される用紙に対して坪量を算出する、
ことを特徴とする請求項３に記載の画像形成装置。
【請求項５】
前記制御部は、前記給紙トレイに収容される用紙に対して坪量を算出した後、次に前記給紙トレイの開閉が検知されるまでの期間は、前記給紙トレイに同じ用紙が収容されているものとして、前記給紙トレイから出力される用紙を前記算出した坪量の用紙としてカウントする、
ことを特徴とする請求項４に記載の画像形成装置。
【請求項６】
前記制御部は、算出した用紙の坪量と前記用紙が収容される前記給紙トレイに設定された用紙の坪量とが一致しない場合、警告情報を出力する、
ことを特徴とする請求項３乃至５のいずれか一に記載の画像形成装置。
【請求項７】
前記反射型センサは、前記用紙搬送路の用紙表面側又は用紙裏面側に配置されるラインセンサを含み、
前記背景板は、高濃度と低濃度の２色の背景色に切り替え可能に構成され、
前記制御部は、前記ラインセンサが前記高濃度又は前記低濃度の一方の背景色で前記用紙を読み取った第１読取値と、前記用紙をスイッチバックさせ、前記ラインセンサが前記高濃度又は前記低濃度の他方の背景色で前記用紙を読み取った第２読取値と、を取得し、前記第１読取値と前記第２読取値との差分を算出し、予め作成した関係式に基づいて、前記算出した差分に対応する前記用紙の坪量を算出する、
ことを特徴とする請求項１乃至６のいずれか一に記載の画像形成装置。
【請求項８】
前記反射型センサは、前記用紙搬送路の用紙表面側及び用紙裏面側に配置される２つのラインセンサを含み、
前記背景板は、高濃度と低濃度の２色の背景色に切り替え可能に構成され、
前記制御部は、一方の前記ラインセンサが前記低濃度の背景色で前記用紙を読み取った第１読取値と、他方の前記ラインセンサが前記高濃度の背景色で前記用紙を読み取った第２読取値と、を取得し、前記第１読取値と前記第２読取値との差分を算出し、予め作成した関係式に基づいて、前記算出した差分に対応する前記用紙の坪量を算出する、
ことを特徴とする請求項１乃至６のいずれか一に記載の画像形成装置。
【請求項９】
前記制御部は、用紙表面側に配置されるラインセンサに前記高濃度の背景色で前記用紙を読み取らせ、用紙裏面側に配置されるラインセンサに前記低濃度の背景色で前記用紙を読み取らせる、
ことを特徴とする請求項８に記載の画像形成装置。
【請求項１０】
前記画像形成部は、用紙の表面に位置調整のための位置調整マークを含む補正用チャートを印刷し、
前記制御部は、用紙表面側に配置されるラインセンサが高濃度の背景色で前記画質補正用チャートを読み取った読取値に基づいて画質補正を行う際に、用紙表面側に配置されるラインセンサが前記画質補正時に高濃度の背景色で前記用紙の非画像部を読み取った読取値と、用紙裏面側に配置されるラインセンサが低濃度の背景色で前記用紙の非画像部を読み取った読取値と、に基づいて前記用紙の坪量を算出する、
ことを特徴とする請求項９に記載の画像形成装置。
【請求項１１】
前記補正用チャートは、画質補正のためのコントロールストリップをも含む、
ことを特徴とする請求項１０に記載の画像形成装置。
【請求項１２】
前記反射型センサは、前記用紙搬送路の用紙表面側又は用紙裏面側に配置されるラインセンサと、前記用紙搬送路の用紙表面側に配置される分光測色計と、を含み、
前記背景板は、高濃度と低濃度の２色の背景色に切り替え可能に構成され、
前記制御部は、前記ラインセンサが前記高濃度の背景色で前記用紙を読み取った第１読取値と、前記分光測色計が前記低濃度の背景色で前記用紙を読み取った第２読取値と、を取得し、予め作成した変換式に基づいて、前記第２読取値を、前記ラインセンサが前記低濃度の背景色で前記用紙を読み取った場合に得られる読取相当値に変換し、前記読取相当値と前記第１読取値との差分を算出し、予め作成した関係式に基づいて、前記算出した差分に対応する前記用紙の坪量を算出する、
ことを特徴とする請求項１乃至６のいずれか一に記載の画像形成装置。
【請求項１３】
前記制御部は、前記低濃度の背景色における、前記ラインセンサの読取値と前記分光測色計の読取値とを対応付ける情報を予め取得し、前記情報を処理することによって得られる前記変換式に基づいて、前記分光測色計の読取値を前記ラインセンサの前記読取相当値に変換する、
ことを特徴とする請求項１２に記載の画像形成装置。
【請求項１４】
前記制御部は、前記低濃度の背景色における前記分光測色計の分光反射率と、前記ラインセンサの光源及び受光素子それぞれの分光分布及び分光感度と、に基づいて、前記分光測色計の読取値を前記ラインセンサの前記読取相当値に変換する、
ことを特徴とする請求項１２に記載の画像形成装置。
【請求項１５】
前記画像形成部は、用紙の両面に位置調整のための位置調整マークを含む表裏調整用チャートを印刷し、
前記制御部は、用紙表面側に配置されるラインセンサ及び用紙裏面側に配置されるラインセンサが黒の背景色で前記位置調整マークを読み取った読取値に基づいて表裏調整を行う際に、一方の前記ラインセンサが前記表裏調整時に黒の背景色で前記用紙の非画像部を読み取った読取値と、前記用紙をスイッチバックさせた後に、一方の前記ラインセンサが白の背景色で前記用紙の非画像部を読み取った読取値と、に基づいて前記用紙の坪量を算出する、
ことを特徴とする請求項８に記載の画像形成装置。
【請求項１６】
前記反射型センサは、前記用紙搬送路の用紙表面側に配置される分光測色計を更に含み、
前記画像形成部は、用紙の両面に位置調整のための位置調整マークを含む表裏調整用チャートを印刷し、
前記制御部は、用紙表面側に配置されるラインセンサ及び用紙裏面側に配置されるラインセンサが黒の背景色で前記位置調整マークを読み取った読取値に基づいて表裏調整を行う際に、一方の前記ラインセンサが前記表裏調整時に黒の背景色で前記用紙の非画像部を読み取った読取値と、前記分光測色計が白の背景色で前記用紙の非画像部を読み取った読取値を変換した前記読取相当値と、に基づいて前記用紙の坪量を算出する、
ことを特徴とする請求項８に記載の画像形成装置。
【請求項１７】
前記表裏調整用チャートには、前記分光測色計が読み取りを開始するためのトリガーパターンが印字されている、
ことを特徴とする請求項１６に記載の画像形成装置。
【請求項１８】
用紙上に画像を形成する画像形成部と、
前記画像形成部により画像形成される用紙が搬送される用紙搬送路と、
前記用紙搬送路に搬送される前記用紙を読み取る反射型センサと、
前記用紙搬送路を挟んで前記反射型センサに対向して配置される、濃度が変更可能な背景板と、
制御部と、を備える画像形成装置を含むシステムで動作する用紙情報算出プログラムであって、
前記制御部又は前記画像形成装置を制御する制御装置に、
前記背景板の濃度を切り替える第１処理、
前記背景板の濃度が異なる状態で前記反射型センサに用紙を読み取らせる第２処理、
前記反射型センサの読み取り結果に基づいて前記用紙の坪量を算出する第３処理、を実行させる、
ことを特徴とする用紙情報算出プログラム。
【請求項１９】
前記画像形成装置は、
前記用紙が収容される給紙トレイと、
前記給紙トレイの開閉を検知するトレイ開閉検知部と、を備え、
前記制御部又は前記制御装置に、
前記トレイ開閉検知部による前記給紙トレイの開閉の検知を監視する処理を実行させ、
前記給紙トレイの開閉が検知された場合に、前記第１乃至第３処理を実行させる、
ことを特徴とする請求項１８に記載の用紙情報算出プログラム。
【請求項２０】
前記反射型センサは、前記用紙搬送路の用紙表面側又は用紙裏面側に配置されるラインセンサを含み、
前記背景板は、高濃度と低濃度の２色の背景色に切り替え可能に構成され、
前記第３処理では、前記ラインセンサが前記高濃度又は前記低濃度の一方の背景色で前記用紙を読み取った第１読取値と、前記用紙をスイッチバックさせ、前記ラインセンサが前記高濃度又は前記低濃度の他方の背景色で前記用紙を読み取った第２読取値と、を取得し、前記第１読取値と前記第２読取値との差分を算出し、予め作成した関係式に基づいて、前記算出した差分に対応する前記用紙の坪量を算出する、
ことを特徴とする請求項１８又は１９に記載の用紙情報算出プログラム。
【請求項２１】
前記反射型センサは、前記用紙搬送路の用紙表面側及び用紙裏面側に配置される２つのラインセンサを含み、
前記背景板は、高濃度と低濃度の２色の背景色に切り替え可能に構成され、
前記第３処理では、一方の前記ラインセンサが前記低濃度の背景色で前記用紙を読み取った第１読取値と、他方の前記ラインセンサが前記高濃度の背景色で前記用紙を読み取った第２読取値と、を取得し、前記第１読取値と前記第２読取値との差分を算出し、予め作成した関係式に基づいて、前記算出した差分に対応する前記用紙の坪量を算出する、
ことを特徴とする請求項１８又は１９に記載の用紙情報算出プログラム。
【請求項２２】
前記第２処理では、用紙表面側に配置されるラインセンサに前記高濃度の背景色で前記用紙を読み取らせ、用紙裏面側に配置されるラインセンサに前記低濃度の背景色で前記用紙を読み取らせる、
ことを特徴とする請求項２１に記載の用紙情報算出プログラム。
【請求項２３】
前記画像形成部は、用紙の表面に位置調整のための位置調整マークを含む補正用チャートを印刷し、
前記第３処理では、用紙表面側に配置されるラインセンサが高濃度の背景色で前記画質補正用チャートを読み取った読取値に基づいて画質補正を行う際に、用紙表面側に配置されるラインセンサが前記画質補正時に高濃度の背景色で前記用紙の非画像部を読み取った読取値と、用紙裏面側に配置されるラインセンサが低濃度の背景色で前記用紙の非画像部を読み取った読取値と、に基づいて前記用紙の坪量を算出する、
ことを特徴とする請求項２２に記載の用紙情報算出プログラム。
【請求項２４】
前記補正用チャートは、画質補正のためのコントロールストリップをも含む、
ことを特徴とする請求項２３に記載の用紙情報算出プログラム。
【請求項２５】
前記反射型センサは、前記用紙搬送路の用紙表面側又は用紙裏面側に配置されるラインセンサと、前記用紙搬送路の用紙表面側に配置される分光測色計と、を含み、
前記背景板は、高濃度と低濃度の２色の背景色に切り替え可能に構成され、
前記第３処理では、前記ラインセンサが前記高濃度の背景色で前記用紙を読み取った第１読取値と、前記分光測色計が前記低濃度の背景色で前記用紙を読み取った第２読取値と、を取得し、予め作成した変換式に基づいて、前記第２読取値を、前記ラインセンサが前記低濃度の背景色で前記用紙を読み取った場合に得られる読取相当値に変換し、前記読取相当値と前記第１読取値との差分を算出し、予め作成した関係式に基づいて、前記算出した差分に対応する前記用紙の坪量を算出する、
ことを特徴とする請求項１８又は１９に記載の用紙情報算出プログラム。
【請求項２６】
前記画像形成部は、用紙の両面に位置調整のための位置調整マークを含む表裏調整用チャートを印刷し、
前記第３処理では、用紙表面側に配置されるラインセンサ及び用紙裏面側に配置されるラインセンサが黒の背景色で前記位置調整マークを読み取った読取値に基づいて表裏調整を行う際に、一方の前記ラインセンサが前記表裏調整時に黒の背景色で前記用紙の非画像部を読み取った読取値と、前記用紙をスイッチバックさせた後に、一方の前記ラインセンサが白の背景色で前記用紙の非画像部を読み取った読取値と、に基づいて前記用紙の坪量を算出する、
ことを特徴とする請求項２１に記載の用紙情報算出プログラム。
【請求項２７】
前記反射型センサは、前記用紙搬送路の用紙表面側に配置される分光測色計を更に含み、
前記画像形成部は、用紙の両面に位置調整マークを含む表裏調整用チャートを印刷し、
前記第３処理では、用紙表面側に配置されるラインセンサ及び用紙裏面側に配置されるラインセンサが黒の背景色で前記位置調整マークを読み取った読取値に基づいて表裏調整を行う際に、一方の前記ラインセンサが前記表裏調整時に黒の背景色で前記用紙の非画像部を読み取った読取値と、前記分光測色計が白の背景色で前記用紙の非画像部を読み取った読取値を変換した前記読取相当値と、に基づいて前記用紙の坪量を算出する、
ことを特徴とする請求項２１に記載の用紙情報算出プログラム。
【請求項２８】
用紙上に画像を形成する画像形成部と、
前記画像形成部により画像形成される用紙が搬送される用紙搬送路と、
前記用紙搬送路に搬送される前記用紙を読み取る反射型センサと、
前記用紙搬送路を挟んで前記反射型センサに対向して配置される、濃度が変更可能な背景板と、を備える画像形成装置を含むシステムにおける用紙情報算出方法であって、
前記背景板の濃度を切り替える第１処理と、
前記背景板の濃度が異なる状態で前記反射型センサに用紙を読み取らせる第２処理と、
前記反射型センサの読み取り結果に基づいて前記用紙の坪量を算出する第３処理と、を実行する、
ことを特徴とする用紙情報算出方法。
【請求項２９】
前記画像形成装置は、
前記用紙が収容される給紙トレイと、
前記給紙トレイの開閉を検知するトレイ開閉検知部と、を備え、
前記トレイ開閉検知部による前記給紙トレイの開閉の検知を監視する処理を実行し、
前記給紙トレイの開閉が検知された場合に、前記第１乃至第３処理を実行する、
ことを特徴とする請求項２８に記載の用紙情報算出方法。
【請求項３０】
前記反射型センサは、前記用紙搬送路の用紙表面側又は用紙裏面側に配置されるラインセンサを含み、
前記背景板は、高濃度と低濃度の２色の背景色に切り替え可能に構成され、
前記第３処理では、前記ラインセンサが前記高濃度又は前記低濃度の一方の背景色で前記用紙を読み取った第１読取値と、前記用紙をスイッチバックさせ、前記ラインセンサが前記高濃度又は前記低濃度の他方の背景色で前記用紙を読み取った第２読取値と、を取得し、前記第１読取値と前記第２読取値との差分を算出し、予め作成した関係式に基づいて、前記算出した差分に対応する前記用紙の坪量を算出する、
ことを特徴とする請求項２８又は２９に記載の用紙情報算出方法。
【請求項３１】
前記反射型センサは、前記用紙搬送路の用紙表面側及び用紙裏面側に配置される２つのラインセンサを含み、
前記背景板は、高濃度と低濃度の２色の背景色に切り替え可能に構成され、
前記第３処理では、一方の前記ラインセンサが前記低濃度の背景色で前記用紙を読み取った第１読取値と、他方の前記ラインセンサが前記高濃度の背景色で前記用紙を読み取った第２読取値と、を取得し、前記第１読取値と前記第２読取値との差分を算出し、予め作成した関係式に基づいて、前記算出した差分に対応する前記用紙の坪量を算出する、
ことを特徴とする請求項２８又は２９に記載の用紙情報算出方法。
【請求項３２】
前記第２処理では、用紙表面側に配置されるラインセンサに前記高濃度の背景色で前記用紙を読み取らせ、用紙裏面側に配置されるラインセンサに前記低濃度の背景色で前記用紙を読み取らせる、
ことを特徴とする請求項３１に記載の用紙情報算出方法。
【請求項３３】
前記画像形成部は、用紙の表面に位置調整のための位置調整マークを含む補正用チャートを印刷し、
前記第３処理では、用紙表面側に配置されるラインセンサが高濃度の背景色で前記画質補正用チャートを読み取った読取値に基づいて画質補正を行う際に、用紙表面側に配置されるラインセンサが前記画質補正時に高濃度の背景色で前記用紙の非画像部を読み取った読取値と、用紙裏面側に配置されるラインセンサが低濃度の背景色で前記用紙の非画像部を読み取った読取値と、に基づいて前記用紙の坪量を算出する、
ことを特徴とする請求項３２に記載の用紙情報算出方法。
【請求項３４】
前記補正用チャートは、画質補正のためのコントロールストリップをも含む、
ことを特徴とする請求項３３に記載の用紙情報算出方法。
【請求項３５】
前記反射型センサは、前記用紙搬送路の用紙表面側又は用紙裏面側に配置されるラインセンサと、前記用紙搬送路の用紙表面側に配置される分光測色計と、を含み、
前記背景板は、高濃度と低濃度の２色の背景色に切り替え可能に構成され、
前記第３処理では、前記ラインセンサが前記高濃度の背景色で前記用紙を読み取った第１読取値と、前記分光測色計が前記低濃度の背景色で前記用紙を読み取った第２読取値と、を取得し、予め作成した変換式に基づいて、前記第２読取値を、前記ラインセンサが前記低濃度の背景色で前記用紙を読み取った場合に得られる読取相当値に変換し、前記読取相当値と前記第１読取値との差分を算出し、予め作成した関係式に基づいて、前記算出した差分に対応する前記用紙の坪量を算出する、
ことを特徴とする請求項２８又は２９に記載の用紙情報算出方法。
【請求項３６】
前記画像形成部は、用紙の両面に位置調整のための位置調整マークを含む表裏調整用チャートを印刷し、
前記第３処理では、用紙表面側に配置されるラインセンサ及び用紙裏面側に配置されるラインセンサが黒の背景色で前記位置調整マークを読み取った読取値に基づいて表裏調整を行う際に、一方の前記ラインセンサが前記表裏調整時に黒の背景色で前記用紙の非画像部を読み取った読取値と、前記用紙をスイッチバックさせた後に、一方の前記ラインセンサが白の背景色で前記用紙の非画像部を読み取った読取値と、に基づいて前記用紙の坪量を算出する、
ことを特徴とする請求項３１に記載の用紙情報算出方法。
【請求項３７】
前記反射型センサは、前記用紙搬送路の用紙表面側に配置される分光測色計を更に含み、
前記画像形成部は、用紙の両面に位置調整のための位置調整マークを含む表裏調整用チャートを印刷し、
前記第３処理では、用紙表面側に配置されるラインセンサ及び用紙裏面側に配置されるラインセンサが黒の背景色で前記位置調整マークを読み取った読取値に基づいて表裏調整を行う際に、一方の前記ラインセンサが前記表裏調整時に黒の背景色で前記用紙の非画像部を読み取った読取値と、前記分光測色計が白の背景色で前記用紙の非画像部を読み取った読取値を変換した前記読取相当値と、に基づいて前記用紙の坪量を算出する、
ことを特徴とする請求項３１に記載の用紙情報算出方法。
【発明の詳細な説明】
【技術分野】
【０００１】
本発明は、画像形成装置及び用紙情報算出プログラム並びに用紙情報算出方法に関し、特に、インラインの画像読取センサを備える画像形成装置、用紙情報を簡便に算出する用紙情報算出プログラム及び用紙情報算出方法に関する。
【背景技術】
【０００２】
プリンタなどのデバイスでは、色変換テーブル（プロファイル）を用いて色変換が行われる。このプロファイルは用紙の厚みに応じて変化することから、プロファイルを用いて色変換する場合、用紙の厚みに応じてプロファイルを選択したり、印刷条件を変えたりする必要がある。そのため、用紙の厚み（坪量）を明確にする必要があり、従来はユーザが坪量などの用紙情報を設定するようにしていた。しかしながら、ユーザが設定する用紙情報は正しいとは限らず、間違った用紙情報を設定してしまう恐れがある。そこで、画像読取センサを用いて用紙情報を取得する様々な方法が提案されている。
【０００３】
例えば、特許文献１には、画像読取部を用いて読み取った用紙の画像データに画像処理を施すことによって、用紙の表面性を検出する用紙表面性検出手段と、画像読取部を用いて、所定の黒濃度を有するリファレンスチャートを重ねた用紙の画像データを読み取り、前記リファレンスチャートの黒濃度と、用紙を介して画像データに現れた黒濃度との濃度差に基づいて、用紙の厚みを検出する用紙厚み検出手段と、前記検出された用紙の表面性及び用紙の厚みに対応する用紙の紙種を設定する紙種設定手段とを備える紙種検出装置が記載されている。
【０００４】
また、用紙情報を取得する方法ではないが、画像読取装置に関する技術として、下記特許文献２には、原稿を搬送する原稿搬送手段と、前記原稿搬送手段で搬送中の原稿を所定の読み取り領域で押圧するとともに、その押圧部分に濃度の異なる複数の背景色部を有する原稿押圧部材と、前記原稿搬送手段で搬送中の原稿の画像を読み取るとともに、その読み取り位置を前記所定の読み取り領域で可変とした読取手段とを備える画像読取装置が開示されている。
【先行技術文献】
【特許文献】
【０００５】
【特許文献１】特開２０１５−１８９５４９号公報
【特許文献２】特開２００２−２７１５７６号公報
【発明の概要】
【発明が解決しようとする課題】
【０００６】
上記特許文献１、２の方法を利用して用紙の厚みを検出することができるが、これらの方法では、用紙の厚みを検出する際に、その都度、用紙をプラテンにセットしたりＡＤＦ（Auto Document Feeder）にセットしたりしてユーザが用紙を読み取らせる必要があり、手間がかかるという問題があった。
【０００７】
本発明は、上記問題点に鑑みてなされたものであって、その主たる目的は、ユーザの手間をかけずに用紙情報を簡便に取得することができる画像形成装置、用紙情報算出プログラム及び用紙情報算出方法を提供することにある。
【課題を解決するための手段】
【０００８】
本発明の一側面は、用紙上に画像を形成する画像形成部と、前記画像形成部により画像形成される用紙が搬送される用紙搬送路と、前記用紙搬送路に搬送される前記用紙を読み取る反射型センサと、前記用紙搬送路を挟んで前記反射型センサに対向して配置される、濃度が変更可能な背景板と、制御部と、を備え、前記制御部は、前記背景板の濃度が異なる状態で前記反射型センサに用紙を読み取らせ、前記反射型センサの読み取り結果に基づいて前記用紙の坪量を算出することを特徴とする。
【０００９】
本発明の一側面は、用紙上に画像を形成する画像形成部と、前記画像形成部により画像形成される用紙が搬送される用紙搬送路と、前記用紙搬送路に搬送される前記用紙を読み取る反射型センサと、前記用紙搬送路を挟んで前記反射型センサに対向して配置される、濃度が変更可能な背景板と、制御部と、を備える画像形成装置を含むシステムで動作する用紙情報算出プログラムであって、前記制御部又は前記画像形成装置を制御する制御装置に、前記背景板の濃度を切り替える第１処理、前記背景板の濃度が異なる状態で前記反射型センサに用紙を読み取らせる第２処理、前記反射型センサの読み取り結果に基づいて前記用紙の坪量を算出する第３処理、を実行させることを特徴とする。
【００１０】
本発明の一側面は、用紙上に画像を形成する画像形成部と、前記画像形成部により画像形成される用紙が搬送される用紙搬送路と、前記用紙搬送路に搬送される前記用紙を読み取る反射型センサと、前記用紙搬送路を挟んで前記反射型センサに対向して配置される、濃度が変更可能な背景板と、を備える画像形成装置を含むシステムにおける用紙情報算出方法であって、前記背景板の濃度を切り替える第１処理と、前記背景板の濃度が異なる状態で前記反射型センサに用紙を読み取らせる第２処理と、前記反射型センサの読み取り結果に基づいて前記用紙の坪量を算出する第３処理と、を実行することを特徴とする。
【発明の効果】
【００１１】
本発明の画像形成装置、用紙情報算出プログラム及び用紙情報算出方法によれば、ユーザの手間をかけずに用紙情報を簡便に取得することができる。
【００１２】
その理由は、用紙上に画像を形成する画像形成部と、画像形成部により画像形成される用紙が搬送される用紙搬送路と、用紙搬送路に搬送される用紙を読み取る反射型センサと、用紙搬送路を挟んで反射型センサに対向して配置される、濃度が変更可能な背景板と、制御部と、を備える画像形成装置において、制御部は、背景板の濃度が異なる状態で反射型センサに用紙を読み取らせ、反射型センサの読み取り結果に基づいて用紙の坪量を算出するからである。
【図面の簡単な説明】
【００１３】
【図１】本発明の第１の実施例に係る画像形成装置の構成例を示す模式図である。
【図２】本発明の第１の実施例に係る画像形成装置の構成を示すブロック図である。
【図３】本発明の第１の実施例に係る画像形成装置の読取部の構成を示す模式図である。
【図４】白背景と黒背景のスキャナ読取値の差分と用紙の坪量との相関を示す図である。
【図５】本発明の第１の実施例に係る画像形成装置の動作（用紙情報算出処理）を示すフローチャート図である。
【図６】本発明の第１の実施例に係る画像読取センサの種類と背景色との組み合わせを示すテーブルである。
【図７】画質補正時に使用する用紙の構成例を示す図である。
【図８】本発明の第２の実施例に係る画像形成装置の動作（画質補正時の用紙情報算出処理）を示すフローチャート図である。
【図９】表裏調整時に使用する用紙の構成例を示す図である。
【図１０】本発明の第３の実施例に係る画像形成装置の動作（表裏調整時の用紙情報算出処理）を示すフローチャート図である。
【図１１】白背景における測色計の反射率とスキャナの読取値との相関を示す図である。
【図１２】表裏調整時に使用する用紙の構成例を示す図である。
【図１３】本発明の第４の実施例に係る画像形成装置の動作（表裏調整時の用紙情報算出処理）を示すフローチャート図である。
【発明を実施するための形態】
【００１４】
背景技術で示したように、プリンタなどのデバイスではプロファイルを用いて色変換が行われるが、プロファイルは用紙の厚みに応じて変化するため、プロファイルを用いて色変換する場合、用紙の厚みに応じてプロファイルを選択したり、印刷条件を変えたりする必要がある。そのため、従来は、ユーザが用紙の坪量などの用紙情報を設定するようにしていたが、ユーザが設定する用紙情報は正しいとは限らないことから、画像読取センサを用いて用紙情報を取得する方法が提案されている。
【００１５】
しかしながら、従来の方法では、用紙の厚みを検出する際に、その都度、用紙をプラテンにセットしたりＡＤＦにセットしたりするなどの操作をユーザが行う必要があり、手間がかかる。一方、画像形成装置では、適切に印刷物が出力できるように、画質補正、表裏調整、ヤレ検知などの処理が適宜行われており、これらの処理ではインラインスキャナやインライン測色計などのセンサによる読み取りが行われる。
【００１６】
そこで、本発明の一実施の形態では、スキャナや測色計などのセンサがインラインに設けられていることを活かして、画像形成装置が行う様々な処理に合わせて用紙情報を取得するようにする。具体的には、用紙搬送路に搬送される用紙を読み取るスキャナや測色計などの反射型センサと、用紙搬送路を挟んで各々の反射型センサに対向配置される、濃度が変更可能な背景板と、を用いて、用紙搬送路を通過する用紙の非画像部（画像が形成されない下地部）を、異なる濃度（例えば、白と黒）の背景板を背景にして読み取り、読み取り結果に基づいて用紙の坪量を算出する。好ましくは、用紙の坪量の算出を、印刷画質を調整する画質補正時や、用紙の表裏間の印刷位置ずれを補正する表裏調整時などに実施する。
【００１７】
このように、インラインスキャナやインライン測色計のようなインラインのセンサを用いることにより、ユーザの手間をかけずに簡便に用紙情報を取得することができる。また、既存のセンサを用いることにより、自動用紙タイプ認識センサ（いわゆるメディアセンサ）等の専用の部材を設ける必要がなくなるため、コストの増加を抑制して用紙情報を取得することができる。
【実施例１】
【００１８】
上記した本発明の一実施の形態についてさらに詳細に説明すべく、本発明の第１の実施例に係る画像形成装置、用紙情報算出プログラム及び用紙情報算出方法について、図１乃至図６を参照して説明する。図１は、本実施例の画像形成装置の構成を示す模式図であり、図２は、本実施例の画像形成装置の構成を示すブロック図である。また、図３は、本実施例の画像形成装置の読取部の構成を示す模式図であり、図４は、白背景と黒背景のスキャナ読取値の差分と用紙の坪量との相関を示す図である。また、図５は、本実施例の画像形成装置の動作（用紙情報算出処理）を示すフローチャート図であり、図６は、画像読取センサの種類と背景色との組み合わせを示すテーブルである。
【００１９】
本実施例の画像形成装置は、ＭＦＰ（Multi-Functional Peripherals）などであり、図１に示すように、給紙部１９から供給される用紙が、上流側の画像形成部２０を通って、下流側の読取部２１に搬送される構造である。以下、本実施例の画像形成装置１０の基本的な構成及び制御について説明する。
【００２０】
図２は、上記画像形成装置１０の構成を示すブロック図であり、図２（ａ）に示すように、画像形成装置１０は、制御部１１、記憶部１５、ネットワークＩ／Ｆ部１６、表示操作部１７、画像処理部１８、給紙部１９、画像形成部２０、読取部２１などで構成される。
【００２１】
制御部１１は、ＣＰＵ（Central Processing Unit）１２とＲＯＭ（Read Only Memory）１３やＲＡＭ（Random Access Memory）１４などのメモリとで構成され、ＣＰＵ１２は、ＲＯＭ１３や記憶部１５に記憶した制御プログラムをＲＡＭ１４に展開して実行することにより、画像形成装置１０全体の動作を制御する。
【００２２】
記憶部１５は、ＨＤＤ（Hard Disk Drive）やＳＳＤ（Solid State Drive）などで構成され、ＣＰＵ１２が各部を制御するためのプログラム、自装置の処理機能に関する情報、プロファイル、給紙部１９に格納された用紙の坪量などの用紙情報、後述する白背景と黒背景のスキャナ読取値の差分と用紙の坪量との関係式などを記憶する。
【００２３】
ネットワークＩ／Ｆ部１６は、ＮＩＣ（Network Interface Card）やモデムなどで構成され、必要に応じて、通信ネットワークを介して、他の装置（クライアント装置や制御装置など）とのデータ通信を可能にする。
【００２４】
表示操作部１７は、ＬＣＤ（Liquid Crystal Display）や有機ＥＬ（Electro Luminescence）ディスプレイなどの表示部上に透明電極が格子状に配置された感圧式の操作部（タッチセンサ）を設けたタッチパネルなどであり、印刷処理に関する各種画面を表示し、印刷に関する各種操作を可能にする。本実施例では、特に、算出した用紙の坪量と当該用紙を格納する給紙トレイに設定された用紙の坪量とが一致しない場合に、その旨を警告する警告画面を表示し、坪量の設定操作などを受け付ける。
【００２５】
画像処理部１８は、プロファイルを用いた色変換、スクリーニング、ラスタライズ等の画像処理を行い、画像処理後の画像データを画像形成部２０に転送する。
【００２６】
給紙部１９は、１又は複数の給紙トレイ１９ａと、各々の給紙トレイ１９ａの開閉を検知するトレイ開閉検知部１９ｂ（例えば、スイッチ）などを備え、制御部１１の指示に従って、給紙トレイ１９ａに格納された用紙を画像形成部２０に供給する。
【００２７】
画像形成部（印刷エンジン）２０は、画像処理後の画像データに基づいて用紙上に画像を形成する。この画像形成部２０は、例えば、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから用紙に２次転写し、更に定着装置で用紙上のトナー像を定着させる処理を行い、画像定着後の用紙を読取部２１に搬送する。
【００２８】
読取部２１は、画像形成部２０の下流に配置され、画質補正時や表裏調整時、ヤレ検知時、用紙の坪量算出時に、用紙を測定して色や濃度を読み取る部分であり、後述する背景板を異なる背景色にして読み取りを行う第１のモードと、背景板を同じ背景色にして読み取りを行う第２のモードとで動作可能である。図３は、この読取部２１の構造を示す模式図であり、図３（ａ）に示すように、読取部２１には、画像形成部２０から出力される用紙を搬送する用紙搬送路２２と、インラインの画像読取センサ（第１スキャナ２３ａ、第２スキャナ２３ｂ及び測色計２３ｃなどの反射型センサ）と、用紙搬送路２２を挟んでこれらの画像読取センサに対向配置される校正ユニット２４と、を備える。
【００２９】
第１スキャナ２３ａ及び第２スキャナ２３ｂは、例えば、ＲＧＢの３種類のセンサが主走査方向に配列されたラインセンサなどであり、ＲＧＢの各センサが測定して得たＲＧＢ値を出力する。なお、第１スキャナ２３ａは、用紙搬送路２２上の用紙の裏面側（図３（ａ）の下側）に配置され、用紙の裏面で反射又は用紙を透過して校正ユニット２４ａの背景面で反射された光を検出する。また、第２スキャナ２３ｂは、用紙搬送路２２上の用紙の表面側（図３（ａ）の上側）に配置され、用紙の表面で反射又は用紙を透過して校正ユニット２４ｂの背景面で反射された光を検出する。
【００３０】
測色計２３ｃは、例えば、光の波長ごとに計測可能なスペクトル方式の測色計（分光測色計）であり、測色値（Ｌ*ａ*ｂ*値、ＸＹＺ値など）を出力する。なお、測色計２３ｃは、用紙搬送路２２上の用紙の表面側（図３（ａ）の上側）に配置され、用紙の表面で反射又は用紙を透過して校正ユニット２４ｃの背景面で反射された光を検出する。
【００３１】
校正ユニット２４（本実施例では校正ユニット２４ａ〜２４ｃ）は、第１スキャナ２３ａ、第２スキャナ２３ｂ及び測色計２３ｃの各々が読み取りを行う際の背景となる背景面を備える。具体的には、第１スキャナ２３ａ及び第２スキャナ２３ｂに対向配置される校正ユニット２４ａ、２４ｂは、図３（ｂ）に示すように、校正面（シェーディング面）２５ａ、白背景面２５ｂ、黒背景面２５ｃを備え、後述する背景面切替制御部１１ｂによって回転駆動して背景面が切り替えられる。また、測色計２３ｃに対向配置される校正ユニット２４ｃは、校正面（シェーディング面）２５ａ、白背景面２５ｂを備え、背景面切替制御部１１ｂの制御によって回転駆動して背景面が切り替えられる。背景面の切り替えは以下のように行われる。例えば、色を測定する時は、校正ユニット２４ａ、２４ｂ、２４ｃ共に白背景面２５ｂに切り替えられ、用紙のエッジ情報を検出する時（表裏調整時）や裏写りさせたくない時は、校正ユニット２４ａ、２４ｂ共に黒背景面２５ｃに切り替えられる。また、用紙情報を取得する時は、校正ユニット２４ａ、２４ｂ、２４ｃの少なくとも１つは白背景面２５ｂに切り替えられ、校正ユニット２４ａ、２４ｂの一方は黒背景面２５ｃに切り替えられる。なお、測色計２３ｃに対向配置される校正ユニット２４ｃに黒背景面２５ｃが設けられていないのは、測色計２３ｃは色を測定するのが主であり、色の測定に際して背景色は白の方が良いからであるが、第１スキャナ２３ａ及び第２スキャナ２３ｂに対向配置される校正ユニット２４ａ、２４ｂと同様に黒背景面２５ｃを備えていてもよい。また、本実施例では、回転駆動によって背景面が切り替えられる構造としているが、背景面が切り替え可能であれば、その構造は特に限定されない。
【００３２】
また、図２（ｂ）に示すように、上記制御部１１は、用紙搬送制御部１１ａ、背景面切替制御部１１ｂ、読取制御部１１ｃ、用紙情報算出部１１ｄとして機能する。
【００３３】
用紙搬送制御部１１ａは、用紙搬送路２２上で用紙を搬送する。
【００３４】
背景面切替制御部１１ｂは、用紙情報を取得する際に、用紙搬送路２２を通過する用紙の非画像部を、背景板の濃度が異なる状態で読み取ることができるように、読取部２１の校正ユニット２４を回転駆動させて背景面を切り替える。例えば、第１スキャナ２３ａ（又は第２スキャナ２３ｂ）に対向する校正ユニット２４ａ（又は校正ユニット２４ｂ）の背景面を白背景面２５ｂ及び黒背景面２５ｃの一方に設定して非画像部を読み取った後、用紙をスイッチバックさせて、校正ユニット２４ａ（又は校正ユニット２４ｂ）の背景面を白背景面２５ｂ及び黒背景面２５ｃの他方に設定して非画像部を読み取る。また、第１スキャナ２３ａに対向する校正ユニット２４ａの背景面を白背景面２５ｂとし、第２スキャナ２３ｂに対向する校正ユニット２４ｂの背景面を黒背景面２５ｃとしたり、第１スキャナ２３ａに対向する校正ユニット２４ａの背景面を黒背景面２５ｃとし、第２スキャナ２３ｂに対向する校正ユニット２４ｂの背景面を白背景面２５ｂとしたりする。また、第１スキャナ２３ａ又は第２スキャナ２３ｂに対向する校正ユニット２４ａ、２４ｂの背景面を黒背景面２５ｃとし、測色計２３ｃに対向する校正ユニット２４ｃの背景面を白背景面２５ｂとする。
【００３５】
読取制御部１１ｃは、用紙情報を取得する際に、第１スキャナ２３ａ、第２スキャナ２３ｂ及び測色計２３ｃの内の少なくとも２つの画像読取センサの読取値（又は、１つの画像読取センサに対して背景面を切り替えたときの２つの読取値）を取得する。例えば、第１スキャナ２３ａ又は第２スキャナ２３ｂの読取値として、８ビット（０〜２５５）の値を取得し、測色計２３ｃの読取値として、反射率（０〜１）の値を取得する。
【００３６】
用紙情報算出部１１ｄは、読取制御部１１ｃが第１スキャナ２３ａ、第２スキャナ２３ｂ及び測色計２３ｃの内の少なくとも２つの画像読取センサから取得した読取値（又は、１つの画像読取センサから取得した２つの読取値）の差分を算出し、予め作成した白背景時と黒背景時の読取値の差分と用紙の坪量との関係式に従って、算出した差分に対応する用紙の坪量を算出する。上記関係式は、例えば、第１スキャナ２３ａを白背景、第２スキャナ２３ｂを黒背景とし、様々な坪量の用紙の非画像部を読み取り、図４に示すように、白背景のスキャナ読取値と黒背景のスキャナ読取値との差分と用紙の坪量とを対応付け、対応付けた各点を最初二乗法などの公知の手法を利用して処理することによって作成することができる。なお、図４の関係は、透明シートを除いて、用紙の種類にかかわらず成立する。また、用紙情報算出部１１ｄは、必要に応じて、算出した用紙の坪量と当該用紙が収容される給紙トレイ１９ａに設定された用紙の坪量とが一致しない場合、表示操作部１７に警告画面を表示するなどして警告情報を出力する。
【００３７】
上記用紙搬送制御部１１ａ、背景面切替制御部１１ｂ、読取制御部１１ｃ、用紙情報算出部１１ｄはハードウェアとして構成してもよいし、制御部１１を、用紙搬送制御部１１ａ、背景面切替制御部１１ｂ、読取制御部１１ｃ、用紙情報算出部１１ｄ（本実施例では、特に、背景面切替制御部１１ｂ、読取制御部１１ｃ、用紙情報算出部１１ｄ）として機能させる用紙情報算出プログラムとして構成し、当該用紙情報算出プログラムをＣＰＵ１２に実行させるようにしてもよい。
【００３８】
なお、図１乃至図３は本実施例の画像形成装置１０の一例であり、その構成や制御は適宜変更可能である。例えば、上記では、読取部２１に第１スキャナ２３ａ、第２スキャナ２３ｂ及び測色計２３ｃの３つの反射型センサを備える場合を示したが、第１スキャナ２３ａ、第２スキャナ２３ｂ及び測色計２３ｃの内の１つ（好ましくは、第１スキャナ２３ａ又は第２スキャナ２３ｂの内の１つ）の反射型センサを備える構成や、第１スキャナ２３ａと第２スキャナ２３ｂ、第１スキャナ２３ａ又は第２スキャナ２３ｂと測色計２３ｃなどの２つの反射型センサを備える構成としてもよい。また、上記では、画像形成装置１０に内蔵される制御部１１が上記制御を行う構成としたが、画像形成装置１０の外部に設けられた制御装置が上記制御を行う構成としてもよい。
【００３９】
以下、上記構成の画像形成装置１０の動作について説明する。ＣＰＵ１２は、ＲＯＭ１３又は記憶部１５に記憶した用紙情報算出プログラムをＲＡＭ１４に展開して実行することにより、図５のフローチャート図に示す各ステップの処理を実行する。なお、ここでは、第１スキャナ２３ａ及び第２スキャナ２３ｂを利用して１パス（１回の用紙搬送）で用紙の両面の読取を行うものとするが、第１スキャナ２３ａ、第２スキャナ２３ｂ及び測色計２３ｃの内の１つを利用し、スイッチバックして２回の用紙搬送で用紙の片面の読取を行うようにしてもよい。また、白背景と黒背景のスキャナ読取値の差分と用紙の坪量との関係式は予め作成され、記憶部１５などに記憶されているものとする。
【００４０】
ユーザが表示操作部１７を操作し、給紙トレイ１９ａを指定して用紙情報の取得を指示すると、制御部１１は、給紙部１９の給紙トレイ１９ａに給紙を指示し、給紙された用紙は、画像形成部２０を通過して読取部２１に搬送される。
【００４１】
次に、制御部１１（背景面切替制御部１１ｂ）は、第１スキャナ２３ａに対向配置される校正ユニット２４ａを制御して白背景面２５ｂが用紙表面側になるように背景面を切り替え、制御部１１（読取制御部１１ｃ）は、第１スキャナ２３ａに用紙の裏面の読み取りを指示して、白背景での非画素部（下地部）の読取値を取得する（Ｓ１０１）。
【００４２】
次に、制御部１１（背景面切替制御部１１ｂ）は、第２スキャナ２３ｂに対向配置される校正ユニット２４ｂを制御して黒背景面が用紙裏面側になるように背景面を切り替え、制御部１１（読取制御部１１ｃ）は、第２スキャナ２３ｂに用紙の表面の読み取りを指示して、黒背景での非画素部（下地部）の読取値を取得する（Ｓ１０２）。
【００４３】
次に、制御部１１（用紙情報算出部１１ｄ）は、第１スキャナ２３ａの白背景での非画素部の読取値から、第２スキャナ２３ｂの黒背景での非画素部の読取値を減算して差分を算出し（Ｓ１０３）、予め作成した関係式を用いて、算出した差分に対応する用紙の坪量を算出する（Ｓ１０４）。
【００４４】
なお、上記フローでは、第１スキャナ２３ａを白背景、第２スキャナ２３ｂを黒背景としたが、坪量を算出するためには、白背景と黒背景の組み合わせであればよく、例えば、図６に示すように、第１スキャナ２３ａを黒背景、第２スキャナ２３ｂを白背景としてもよいし、第１スキャナ２３ａ又は第２スキャナ２３ｂを黒背景とし、測色計２３ｃを白背景としてもよい。
【００４５】
このように、用紙搬送路２２上に設けられたインラインの画像読取センサを用いることにより、ユーザの手間をかけずに用紙情報を取得することができる。また、既存のセンサを用いることにより、コストの増加を抑制して用紙情報を取得することができる。
【実施例２】
【００４６】
次に、本発明の第２の実施例に係る画像形成装置、用紙情報算出プログラム及び用紙情報算出方法について、図７及び図８を参照して説明する。図７は、画質補正時に使用する用紙の構成例を示す図であり、図８は、本実施例の画像形成装置の動作（画質補正時の坪量算出処理）を示すフローチャート図である。
【００４７】
前記した第１の実施例では、画像形成装置１０の基本的な構成及び制御について説明したが、本実施例では、第１スキャナ２３ａ及び第２スキャナ２３ｂを用いたリアルタイムの画質補正時に、用紙の坪量の算出を合わせて行う場合について説明する。なお、本実施例では、片面のみに印字する場合において、少なくとも位置調整マークを読み取ることにより、画質補正を行う。
【００４８】
図７は、リアルタイム画質補正に使用する用紙（画質補正用チャート３０ａ）の構成を示している。図７に示すように、画質補正用チャート３０ａには、断裁領域に、トンボなどの位置調整マーク３１や濃度を変化させたパッチを配列したコントロールストリップ３２などが印字されており、それらを読取部２１で読み取って画像形成装置１０本体にフィードバックすることによって画質補正を行う。
【００４９】
その際、リアルタイム画質補正では用紙エッジを検出する必要があり、用紙エッジを検出するためには印字面（用紙表面）を黒背景で読み取る必要があるため、制御部１１（背景面切替制御部１１ｂ）は、印字面を検出する第２スキャナ２３ｂに対向する校正ユニット２４ｂの背景面を黒背景面２５ｃに切り替える。また、制御部１１（背景面切替制御部１１ｂ）は、非印字面（用紙裏面）を検出する第１スキャナ２３ａに対向する校正ユニット２４ａの背景面を白背景面２５ｂに切り替えるか、第２スキャナ２３ｂによる読み取り後に、第２スキャナ２３ｂに対向する校正ユニット２４ｂの背景面を白背景面２５ｂに切り替える。これによって、画質補正を行いながら、第１の実施例と同様に、用紙の坪量を算出することができる。
【００５０】
以下、画質補正時に坪量を算出する場合の画像形成装置１０の動作について説明する。ＣＰＵ１２は、ＲＯＭ１３又は記憶部１５に記憶した用紙情報算出プログラムをＲＡＭ１４に展開して実行することにより、図８のフローチャート図に示す各ステップの処理を実行する。なお、本実施例では、第１スキャナ２３ａ及び第２スキャナ２３ｂを用いて１パス（１回の用紙搬送）で両面の読取を行うものとするが、第１スキャナ２３ａ又は第２スキャナ２３ｂ（好ましくは第２スキャナ２３ｂ）を利用し、スイッチバックして２回の用紙搬送で用紙の片面の読取を行うようにしてもよい。また、白背景と黒背景のスキャナ読取値の差分と坪量との関係式は予め作成され、記憶部１５などに記憶されているものとする。
【００５１】
ユーザが表示操作部１７を操作して画質補正を指示（又は予め定めた時間が経過して画質補正のタイミングに到達）すると、制御部１１は、給紙部１９の給紙トレイ１９ａを制御して画像形成部２０に用紙を搬送し、画像形成部２０を制御して図７に示すような画質補正用チャート３０ａを印刷させる（Ｓ２０１）。
【００５２】
次に、制御部１１（背景面切替制御部１１ｂ）は、第１スキャナ２３ａに対向配置される校正ユニット２４ａを制御して白背景面２５ｂが用紙表面側になるように背景面を切り替え、制御部１１（読取制御部１１ｃ）は、第１スキャナ２３ａに用紙の裏面の読み取りを指示して、白背景での非画素部（下地部）の読取値を取得する（Ｓ２０２）。
【００５３】
次に、制御部１１（背景面切替制御部１１ｂ）は、第２スキャナ２３ｂに対向配置される校正ユニット２４ｂを制御して黒背景面２５ｃが用紙裏面側になるように背景面を切り替え、制御部１１（読取制御部１１ｃ）は、第２スキャナ２３ｂに用紙の表面の読み取りを指示して、黒背景での位置調整マーク３１、コントロールストリップ３２及び非画素部（下地部）の読取値を取得する（Ｓ２０３）。
【００５４】
次に、制御部１１は、位置調整マーク３１の読取値を用いてコントロールストリップ３２の位置を特定し、コントロールストリップ３２の読取値を用いて画質補正を行う（Ｓ２０４）。
【００５５】
次に、制御部１１（用紙情報算出部１１ｄ）は、第１スキャナ２３ａの白背景での非画素部の読取値から、第２スキャナ２３ｂの黒背景での非画素部の読取値を減算して差分を算出し（Ｓ２０５）、予め作成した関係式を用いて、算出した差分に対応する用紙の坪量を算出する（Ｓ２０６）。
【００５６】
このように、用紙搬送路２２上に設けられたインラインの画像読取センサを用い、画質補正時に合わせて用紙の坪量を算出することにより、ユーザの手間をかけずに用紙情報を取得することができる。また、既存のセンサを用いることにより、コストの増加を抑制して用紙情報を取得することができる。
【実施例３】
【００５７】
次に、本発明の第３の実施例に係る画像形成装置、用紙情報算出プログラム及び用紙情報算出方法について、図９及び図１０を参照して説明する。図９は、表裏調整時に使用する用紙の構成例を示す図であり、図１０は、本実施例の画像形成装置の動作（表裏調整時の坪量算出処理）を示すフローチャート図である。
【００５８】
前記した第２の実施例では、画質補正時に合わせて坪量の算出を行ったが、本実施例では、表裏面の印字位置を調整する表裏調整時に、用紙の坪量の算出を合わせて行う場合について説明する。なお、本実施例では、両面に印字する場合において、両面の位置調整マークを読み取って表裏調整を行い、両面の位置調整マークの読み取りのために、２つのスキャナを使用する。
【００５９】
ここで、給紙トレイ１９ａの開閉タイミングは給紙トレイに新しい用紙がセットされるタイミングであり、また、用紙の種類は次に給紙トレイ１９ａが開閉されるまでは変わらないと考えられるため、給紙トレイ１９ａの開閉タイミングは用紙の坪量を算出するタイミングとして適している。そこで、本実施例では、トレイ開閉検知部１９ｂが給紙トレイ１９ａの開閉を検知した時に用紙の坪量を算出するように制御する。
【００６０】
この場合、画像形成装置１０の構成は前記した第１の実施例と同様であるが、制御部１１は、トレイ開閉検知部１９ｂの出力を監視し、トレイ開閉検知部１９ｂから信号が出力されたら、表裏調整を実施すると共に、用紙の坪量の算出を合わせて実施する。
【００６１】
図９は、表裏調整時に使用する用紙（表裏調整用チャート３０ｂ）の構成を示している。表裏調整では用紙の四隅付近に印字したトンボや井形などの位置調整マーク３１を読み取るが、正確に読み取るために、表裏両方の位置調整マーク３１を黒背景で読み取る。位置調整マーク３１以外の部分は基本的に非画像部（下地部）であるため坪量を算出する際に読み取ることができる。ただし、表裏調整では第１スキャナ２３ａ、第２スキャナ２３ｂの双方とも、黒背景にする必要があるため、制御部１１（用紙搬送制御部１１ａ）は、表裏調整用チャート３０ｂを用紙搬送路２２上でスイッチバックさせて第１スキャナ２３ａ又は第２スキャナ２３ｂのいずれかで白背景で再度、非画像部（下地部）を読み取ることができるようにする。
【００６２】
以下、上記構成の画像形成装置１０の動作について説明する。ＣＰＵ１２は、ＲＯＭ１３又は記憶部１５に記憶した用紙情報算出プログラムをＲＡＭ１４に展開して実行することにより、図１０のフローチャート図に示す各ステップの処理を実行する。なお、ここでは、第１スキャナ２３ａ及び第２スキャナ２３ｂを利用し、スイッチバックして２回の用紙搬送で用紙の両面の読取を行う。また、本実施例でも、白背景と黒背景のスキャナ読取値の差分と坪量との関係式は予め作成され、記憶部１５などに記憶されているものとする。
【００６３】
制御部１１は、トレイ開閉検知部１９ｂからの信号を監視し（Ｓ３０１）、トレイ開閉検知部１９ｂから給紙トレイ１９ａの開閉検知信号を受信したら（Ｓ３０１のＹｅｓ）、開閉検知した給紙トレイ１９ａに設定されている坪量をリセットする（Ｓ３０２）。次に、制御部１１は、給紙トレイ１９ａを制御して画像形成部２０に用紙を搬送し、画像形成部２０を制御して図９に示すような表裏調整用チャート３０ｂを両面印刷する（Ｓ３０３）。
【００６４】
次に、制御部１１（背景面切替制御部１１ｂ）は、第１スキャナ２３ａに対向配置される校正ユニット２４ａを制御して黒背景面が用紙表面側になるように背景面を切り替え、制御部１１（読取制御部１１ｃ）は、第１スキャナ２３ａに用紙の裏面の読み取りを指示して、黒背景での位置調整マーク３１及び非画素部（下地部）の読取値を取得する（Ｓ３０４）。
【００６５】
次に、制御部１１（背景面切替制御部１１ｂ）は、第２スキャナ２３ｂに対向配置される校正ユニット２４ｂを制御して黒背景面が用紙裏面側になるように背景面を切り替え、制御部１１（読取制御部１１ｃ）は、第２スキャナ２３ｂに用紙の表面の読み取りを指示して、黒背景での位置調整マーク３１の読取値を取得する（Ｓ３０５）。なお、本フローでは、Ｓ３０４で非画素部（下地部）の読取値を取得しているが、Ｓ３０５において取得しても良い。すなわち、下地部の読取値については、第１スキャナ２３ａ又は第２スキャナ２３ｂのいずれか一方で読み取りを行えばよい。
【００６６】
次に、制御部１１（用紙搬送制御部１１ａ）は、用紙搬送路２２に沿って用紙を第１スキャナ２３ａ又は第２スキャナ２３ｂの読み取り位置までスイッチバックさせ（Ｓ３０６）、制御部１１（背景面切替制御部１１ｂ）は、第１スキャナ２３ａ（又は第２スキャナ２３ｂ）に対向配置される校正ユニット２４ａ（又は校正ユニット２４ｂ）を制御して白背景面が用紙表面側（又は用紙裏面側）になるように背景面を切り替え、制御部１１（読取制御部１１ｃ）は、第１スキャナ２３ａ（又は第２スキャナ２３ｂ）に用紙の裏面（又は表面）の読み取りを指示して、白背景での非画素部（下地部）の読取値を取得する（Ｓ３０７）。
【００６７】
次に、制御部１１は、第１スキャナ２３ａの黒背景での位置調整マーク３１の読取値と第２スキャナ２３ｂの黒背景での位置調整マーク３１の読取値とを用いて表裏調整を行う（Ｓ３０８）。
【００６８】
次に、制御部１１（用紙情報算出部１１ｄ）は、Ｓ３０７で取得した白背景での非画素部（下地部）の読取値から、Ｓ３０４又はＳ３０５で取得した黒背景での非画素部（下地部）の読取値を減算して差分を算出し（Ｓ３０９）、予め作成した関係式を用いて、算出した差分に対応する用紙の坪量を算出する（Ｓ３１０）。そして、制御部１１は、トレイ開閉検知部１９ｂが開閉検知した給紙トレイ１９ａの用紙カウントを算出した坪量の用紙としてカウントする（Ｓ３１１）。
【００６９】
なお、上記フローでは、第１スキャナ２３ａを用いて黒背景で読み取り、第２スキャナ２３ｂを用いて黒背景で読み取った後、スイッチバックして、第１スキャナ２３ａ又は第２スキャナ２３ｂを用いて白背景で読み取ったが、読み取り及びスイッチバックの順番は任意であり、例えば、第１スキャナ２３ａを用いて黒背景で読み取り、スイッチバックして、第１スキャナ２３ａを用いて白背景で読み取り、その後、第２スキャナ２３ｂを用いて黒背景で読み取ることもできる。
【００７０】
このように、用紙搬送路２２上に設けられたインラインの画像読取センサを用い、表裏調整時に合わせて用紙の坪量を算出することにより、ユーザの手間をかけずに用紙情報を取得することができる。また、既存のセンサを用いることにより、コストの増加を抑制して用紙情報を取得することができる。
【実施例４】
【００７１】
次に、本発明の第４の実施例に係る画像形成装置、用紙情報算出プログラム及び用紙情報算出方法について、図１１乃至図１３を参照して説明する。図１１は、白背景における測色計の反射率とスキャナの読取値との相関を示す図であり、図１２は、表裏調整時に使用する用紙の構成例を示す図である。また、図１３は、本実施例の画像形成装置の動作（表裏調整時の坪量算出処理）を示すフローチャート図である。
【００７２】
前記した第３の実施例では、白背景での非画像部の読み取りのためにスイッチバックを行ったが、本実施例では、表裏調整時には通常使用しない測色計２３ｃを用いて白背景での非画像部の読み取りを行う。なお、本実施例では、両面に印字する場合において、両面の位置調整マークを読み取って表裏調整を行い、両面の位置調整マークの読み取りのために、２つのスキャナと測色計とを使用する。この場合、測色計２３ｃの白背景での読取値をスキャナ（第１スキャナ２３ａ又は第２スキャナ２３ｂ）の白背景での読取相当値に変換する必要がある。変換の方法は以下の２つがある。
【００７３】
第１の方法は、第１スキャナ２３ａ又は第２スキャナ２３ｂを白背景、測色計２３ｃを白背景として、様々な坪量の用紙の非画像部を読み取り、図１１に示すように、測色計２３ｃの白背景での読取値（反射率）と第１スキャナ２３ａ又は第２スキャナ２３ｂの白背景での読取値とを対応付け、対応付けた各点を最初二乗法などの公知の手法を利用して処理することによって変換式を作成する方法である。また、第２の方法は、スキャナの照明（光源）及びＣＣＤ（Charge Coupled Devices）のそれぞれの分光特性（分光分布及び分光感度）と、測色計で得られる分光反射率と、に基づいて変換する方法である。
【００７４】
図１２は、表裏調整時に使用する用紙（表裏調整用チャート３０ｃ）の構成を示している。表裏調整用チャート３０ｃにはトンボや井形などの位置調整マーク３１に加えて、測色計２３ｃの読取トリガーとして使用する測色計用トリガーパターン３３を印字する。
【００７５】
以下、上記構成の画像形成装置１０の動作について説明する。ＣＰＵ１２は、ＲＯＭ１３又は記憶部１５に記憶した用紙情報算出プログラムをＲＡＭ１４に展開して実行することにより、図１３のフローチャート図に示す各ステップの処理を実行する。なお、本実施例では、第１スキャナ２３ａ、第２スキャナ２３ｂ及び測色計２３ｃを用いて１パス（１回の用紙搬送）で両面の読取を行うものとする。また、白背景と黒背景のスキャナ読取値の差分と坪量との関係式、及び、白背景の測色計の読取値（反射率）を白背景のスキャナ読取値に変換する変換式は予め作成され、記憶部１５などに記憶されているものとする。
【００７６】
制御部１１は、トレイ開閉検知部１９ｂからの信号を監視し（Ｓ４０１）、トレイ開閉検知部１９ｂから給紙トレイ１９ａの開閉検知信号を受信したら（Ｓ４０１のＹｅｓ）、開閉検知した給紙トレイに設定されている坪量をリセットする（Ｓ４０２）。次に、制御部１１は、給紙トレイ１９ａを制御して画像形成部２０に用紙を搬送し、画像形成部２０を制御して図１２に示すような表裏調整用チャート３０ｃを両面印刷する（Ｓ４０３）。
【００７７】
次に、制御部１１（背景面切替制御部１１ｂ）は、第１スキャナ２３ａに対向配置される校正ユニット２４ａを制御して黒背景面が用紙表面側になるように背景面を切り替え、制御部１１（読取制御部１１ｃ）は、第１スキャナ２３ａに用紙の裏面の読み取りを指示して、黒背景での位置調整マーク３１及び非画素部（下地部）の読取値を取得する（Ｓ４０４）。
【００７８】
次に、制御部１１（背景面切替制御部１１ｂ）は、第２スキャナ２３ｂに対向配置される校正ユニット２４ｂを制御して黒背景面が用紙裏面側になるように背景面を切り替え、制御部１１（読取制御部１１ｃ）は、第２スキャナ２３ｂに用紙の表面の読み取りを指示して、黒背景での位置調整マーク３１の読取値を取得する（Ｓ４０５）。なお、本フローでも、Ｓ４０４で非画素部（下地部）の読取値を取得しているが、Ｓ４０５において取得しても良い。すなわち、下地部の読取値については、第１スキャナ２３ａ又は第２スキャナ２３ｂのいずれか一方で読み取りを行えばよい。
【００７９】
次に、制御部１１（背景面切替制御部１１ｂ）は、測色計２３ｃに対向配置される校正ユニット２４ｃを制御して白背景面が用紙裏面側になるように背景面を切り替え、制御部１１（読取制御部１１ｃ）は、測色計２３ｃに用紙の表面の読み取りを指示して、白背景での非画素部（下地部）の読取値を取得する（Ｓ４０６）。
【００８０】
次に、制御部１１は、第１スキャナ２３ａの黒背景での位置調整マーク３１の読取値と第２スキャナ２３ｂの黒背景での位置調整マーク３１の読取値とを用いて表裏調整を行う（Ｓ４０７）。
【００８１】
次に、制御部１１（用紙情報算出部１１ｄ）は、記憶部１５に予め記憶した変換式を用いて、Ｓ４０６で取得した測色計２３ｃの読取値（反射率）を第１スキャナ２３ａ又は第２スキャナ２３ｂの読取相当値に変換する（Ｓ４０８）。
【００８２】
次に、制御部１１（用紙情報算出部１１ｄ）は、Ｓ４０８で変換した白背景での非画素部（下地部）の読取相当値から、Ｓ４０４又はＳ４０５で取得した黒背景での非画素部（下地部）の読取値を減算して差分を算出し（Ｓ４０９）、予め作成した関係式を用いて、算出した差分に対応する用紙の坪量を算出する（Ｓ４１０）。そして、制御部１１は、トレイ開閉検知部１９ｂが開閉検知した給紙トレイ１９ａの用紙カウントを算出した坪量の用紙としてカウントする（Ｓ４１１）。
【００８３】
このように、用紙搬送路２２上に設けられたインラインの画像読取センサを用い、表裏調整時に合わせて用紙の坪量を算出することにより、ユーザの手間をかけずに用紙情報を取得することができる。また、既存のセンサを用いることにより、コストの増加を抑制して用紙情報を取得することができる。更に、既存の測色計を３つ目の読取センサとして活用することにより、スイッチバックを行う必要がなくなるため、第３の実施例に比べて、より簡便に用紙情報を取得することができる。
【００８４】
なお、本発明は上記実施例に限定されるものではなく、本発明の趣旨を逸脱しない限りにおいて、画像形成装置の構成や制御は適宜変更可能である。
【００８５】
例えば、上記実施例では、画像読取センサとして、上流側から、用紙の裏面を読み取る第１スキャナ２３ａ、用紙の表面を読み取る第２スキャナ２３ｂ、用紙の表面を読み取る測色計２３ｃを配置したが、例えば、上流側から、用紙の表面を読み取る第２スキャナ２３ｂ、用紙の裏面を読み取る第１スキャナ２３ａ、用紙の表面を読み取る測色計２３ｃを配置するなど、スキャナ及び測色計の数や配置は実施例の記載に限定されない。
【００８６】
また、上記実施例では、インラインの画像読取センサが用紙の非画像部（下地部）を読み取って用紙の坪量を算出したが、例えば、所定範囲の色や濃度が一定の画像（ベタ画像）を読み取って用紙の坪量を算出することもできる。
【００８７】
また、上記実施例では、測色計２３ｃを使用する場合について記載したが、画像形成部２０から排出される用紙を受け取り、その後の処理のために送り出すリレーユニットに内蔵されるＲＧＢの各色の単色センサなどを利用することもできる。
【００８８】
また、上記実施例では、用紙情報として坪量を算出する場合について記載したが、画像読取センサの読取値に基づいて算出可能な任意の用紙情報を算出する場合に対して、本発明の用紙情報算出方法を同様に適用することができる。
【産業上の利用可能性】
【００８９】
本発明は、インラインの画像読取センサを備える画像形成装置、用紙情報を簡便に取得する用紙情報算出プログラム、当該用紙情報算出プログラムを記録した記録媒体及び用紙情報算出方法に利用可能である。
【符号の説明】
【００９０】
１０  画像形成装置
１１  制御部
１１ａ  用紙搬送制御部
１１ｂ  背景面切替制御部
１１ｃ  読取制御部
１１ｄ  用紙情報算出部
１２  ＣＰＵ
１３  ＲＯＭ
１４  ＲＡＭ
１５  記憶部
１６  ネットワークＩ／Ｆ部
１７  表示操作部
１８  画像処理部
１９  給紙部
１９ａ  給紙トレイ
１９ｂ  トレイ開閉検知部
２０  画像形成部
２１  読取部
２２  用紙搬送路
２３ａ  第１スキャナ
２３ｂ  第２スキャナ
２３ｃ  測色計
２４、２４ａ〜２４ｃ  校正ユニット
２５ａ  校正面（シェーディング面）
２５ｂ  白背景面
２５ｃ  黒背景面
３０ａ  画質補正用チャート
３０ｂ、３０ｃ  表裏調整用チャート
３１  位置調整マーク
３２  コントロールストリップ
３３  測色計用トリガーパターン
【図１】
2019054408.tif 000003
【図２】
2019054408.tif 000004
【図３】
2019054408.tif 000005
【図４】
2019054408.tif 000006
【図５】
2019054408.tif 000007
【図６】
2019054408.tif 000008
【図７】
2019054408.tif 000009
【図８】
2019054408.tif 000010
【図９】
2019054408.tif 000011
【図１０】
2019054408.tif 000012
【図１１】
2019054408.tif 000013
【図１２】
2019054408.tif 000014
【図１３】
2019054408.tif 000015